(57)【特許請求の範囲】
【請求項１】
スタジオ装置の間で伝送されるデジタル放送番組信号の補助データに設定された信号処理を行うＶＡＮＣ処理装置において、
前記デジタル放送番組信号が入力端子に接続され、一方の出力端子が前記ＶＡＮＣ処理部の入力端子へ接続され、他方の出力端子が出力スイッチの一方の入力端子に接続される入力スイッチと、
一方の入力端子が前記入力スイッチの他方の出力端子に接続され、他方の入力端子が前記ＶＡＮＣ処理部の出力端子に接続される出力スイッチと、
前記デジタル放送番組信号の補助データに設定された信号処理を行い第２のデジタル放送番組信号を生成して出力するＶＡＮＣ処理部と、
前記入力スイッチの前記入力端子へ入力される前記デジタル放送番組信号のＣＲＣエラーチェックコードにより前記入力される信号の良否を判定して出力するエラーチェック部と、
前記エラーチェック部から入力される良否判定が良である場合、前記入力スイッチの出力先を前記ＶＡＮＣ処理部にすると共に、前記出力スイッチの入力先をＶＡＮＣ処理部の出力端子にする制御を行い、
前記エラーチェック部から入力される良否判定が否である場合、前記デジタル放送番組信号への誤り訂正処理と前記補助データに設定された前記信号処理とを省略する様、前記入力スイッチの出力先を前記出力スイッチの前記一方の入力端子に、また前記出力スイッチの入力先を前記入力スイッチの他方の出力端子に接続する制御を行う
制御部とを
備えることを特徴とするＶＡＮＣ処理装置。
【請求項２】
スタジオ装置の間で伝送されるデジタル放送番組信号の補助データに設定された信号処理を行うＶＡＮＣ処理装置の信号処理方法において、
前記ＶＡＮＣ処理装置は、入力スイッチと、出力スイッチと、ＶＡＮＣ処理部と、エラーチェック部と、制御部とを備え、
前記入力スイッチの入力端子にデジタル放送番組信号が入力され、一方の出力端子が前記ＶＡＮＣ処理部の入力端子へ接続され、他方の出力端子が前記出力スイッチの一方の入力端子に接続され、
前記エラーチェック部は、前記入力スイッチの前記入力端子へ入力される前記デジタル放送番組信号のＣＲＣエラーチェックコードにより前記入力される信号の良否を判定して前記制御部へ出力し、
前記制御部は、前記エラーチェック部から入力される良否判定が良である場合、前記入力スイッチの一方の出力先を前記ＶＡＮＣ処理部にし、前記ＶＡＮＣ処理部が前記デジタル放送番組信号の補助データに設定された信号処理を行って出力した第２のデジタルビデオ信号を前記出力スイッチの一方の入力を介して出力する制御を行い、
前記エラーチェック部から入力される良否判定が否である場合、前記デジタル放送番組信号への誤り訂正処理と前記補助データに設定された前記信号処理とを省略する様、前記入力スイッチの他方の出力先を前記出力スイッチの他方の入力端子にすると共に、前記出力スイッチの入力先を前記入力スイッチの他方の出力端子にする制御を行う
ことを特徴とするＶＡＮＣ処理装置の信号処理方法。
【発明の詳細な説明】
【技術分野】
【０００１】
本発明は、デジタル放送信号のＶＡＮＣ処理装置、およびそのエラーチェックの信号処理方法に関する。
【背景技術】
【０００２】
最近、衛星デジタル放送や、地上波デジタル放送が導入されこれらの番組の放送信号は映像や音声信号だけでなく、字幕情報を始め各種の付加機能を処理するための補助データ（アンシラリーデータ）が重畳されたデジタル信号が用いられ（例えば、非特許文献１。）、そのような垂直同期期間のブランク時間を利用して処理を行う装置はＶＡＮＣ処理装置と呼ばれる。
【０００３】
ＶＡＮＣ処理装置が他の装置、機器との間で送受信するデジタル放送番組信号は、機器間を光ファイバや同軸ケーブルにより伝送されるが、そのデータフレーム構成には、映像、または音声等の情報フィールド、アンシラリーデータ、伝送中の誤りを訂正するためにＣＲＣ（Ｃｙｃｌｉｃ  Ｒｅｄｕｎｄａｎｃｙ  Ｃｈｅｃｋ  Ｃｏｄｅ）を含んでいる。
【０００４】
伝送路等でエラーが発生した場合、デジタル放送番組信号の入力側でＣＲＣチェック後、エラー訂正などを行うが放送番組信号を実時間で伝送する場合、映像情報までを含めてエラー処理を行うと遅延時間が生じる問題が有った。
【非特許文献１】ＢＴＡ  Ｓ−００５Ｂ  １１２５／６０方式ＨＤＴＶ信号のビット直列インタフェース規格
【発明の開示】
【発明が解決しようとする課題】
【０００５】
デジタル放送番組信号の処理過程では、デジタル放送番組信号の入力側でＣＲＣチェック後、伝送路等で発生したエラー訂正などを行うが、放送番組信号を実時間で伝送する場合には、映像情報等高速のデータにエラー処理を行うと画面表示に支障がある遅延時間が生じる問題があった。
【０００６】
本発明は上記問題を解決するためになされたもので、アンシラリーデータ（補助データ、以下ＶＡＮＣデータと呼ぶ。）が付加されたデジタル放送番組信号の伝送中にエラーが生じても、ＶＡＮＣ処理の誤動作の発生と映像情報伝送における遅延時間の発生を防ぎ、正常時にはＶＡＮＣデータで設定された付加機能を実行するＶＡＮＣ処理装置、およびその信号処理方法を提供することを目的とする。
【課題を解決するための手段】
【０００７】
上記目的を達成するために本発明のＶＡＮＣ処理装置は、スタジオ装置の間で伝送されるデジタル放送番組信号の補助データに設定された信号処理を行うＶＡＮＣ処理装置において、前記デジタル放送番組信号が入力端子に接続され、一方の出力端子が前記ＶＡＮＣ処理部の入力端子へ接続され、他方の出力端子が出力スイッチの一方の入力端子に接続される入力スイッチと、一方の入力端子が前記入力スイッチの他方の出力端子に接続され、他方の入力端子が前記ＶＡＮＣ処理部の出力端子に接続される出力スイッチと、前記デジタル放送番組信号の補助データに設定された信号処理を行い第２のデジタル放送番組信号を生成して出力するＶＡＮＣ処理部と、前記入力スイッチの前記入力端子へ入力される前記デジタル放送番組信号のＣＲＣエラーチェックコードにより前記入力される信号の良否を判定して出力するエラーチェック部と、前記エラーチェック部から入力される良否判定が良である場合、前記入力スイッチの出力先を前記ＶＡＮＣ処理部にすると共に、前記出力スイッチの入力先をＶＡＮＣ処理部の出力端子にする制御を行い、前記エラーチェック部から入力される良否判定が否である場合、前記デジタル放送番組信号への誤り訂正処理と前記補助データに設定された前記信号処理とを省略する様、前記入力スイッチの出力先を前記出力スイッチの前記一方の入力端子に、また前記出力スイッチの入力先を前記入力スイッチの他方の出力端子に接続する制御を行う制御部とを備えることを特徴とする。
【０００８】
また、本発明のＶＡＮＣ処理装置の信号処理方法は、スタジオ装置の間で伝送されるデジタル放送番組信号の補助データに設定された信号処理を行うＶＡＮＣ処理装置の信号処理方法において、前記ＶＡＮＣ処理装置は、入力スイッチと、出力スイッチと、ＶＡＮＣ処理部と、エラーチェック部と、制御部とを備え、前記入力スイッチの入力端子にデジタル放送番組信号が入力され、一方の出力端子が前記ＶＡＮＣ処理部の入力端子へ接続され、他方の出力端子が前記出力スイッチの一方の入力端子に接続され、前記エラーチェック部は、前記入力スイッチの前記入力端子へ入力される前記デジタル放送番組信号のＣＲＣエラーチェックコードにより前記入力される信号の良否を判定して前記制御部へ出力し、前記制御部は、前記エラーチェック部から入力される良否判定が良である場合、前記入力スイッチの一方の出力先を前記ＶＡＮＣ処理部にし、前記ＶＡＮＣ処理部が前記デジタル放送番組信号の補助データに設定された信号処理を行って出力した第２のデジタルビデオ信号を前記出力スイッチの一方の入力を介して出力する制御を行い、前記エラーチェック部から入力される良否判定が否である場合、前記デジタル放送番組信号への誤り訂正処理と前記補助データに設定された前記信号処理とを省略する様、前記入力スイッチの他方の出力先を前記出力スイッチの他方の入力端子にすると共に、前記出力スイッチの入力先を前記入力スイッチの他方の出力端子にする制御を行うことを特徴とする。
【発明の効果】
【０００９】
本発明によれば、アンシラリーデータが付加されたデジタル放送番組信号の伝送中にエラーが生じても、ＶＡＮＣ処理の誤動作の発生と映像情報伝送における遅延時間の発生を防ぎ、正常時にはＶＡＮＣデータで設定された付加機能を実行するＶＡＮＣ処理装置および信号処理方法を提供できる。
【発明を実施するための最良の形態】
【００１０】
以下、図面を参照して本発明の実施例を説明する。
【実施例】
【００１１】
図１は、本発明の実施例に係るデジタル放送番組信号処理システム（以下、ＶＡＮＣデータ処理装置と称する。）の機能構成を説明するブロック図、図２は、デジタル放送番組信号のデータフレームの構造を説明する概念図である。  
以下、図１、図２を参照してＶＡＮＣデータ処理装置の構成とそれらの動作手順について説明する。図１においてＶＡＮＣデータ処理装置は、入力スイッチ１、エラーチェック部２、制御部３、ＶＡＮＣ処理部４と、出力スイッチ５とを備えている。
【００１２】
図２において、デジタル放送番組信号は、データフィールドＤＦ、データの先頭情報ＨＤ、その後尾情報ＴＤ、アンシラリーデータ（補助情報、以下ＶＡＮＣデータと呼ぶ。）ＶＤ、例えばライン番号などの予備データＡＤ、エラーチェックデータＣＲＣとからなる。エラーチェックは、ＶＡＮＣデータを外して対して行われることもあるが、ここでは、先頭情報ＨＤ、データフィールドＤＦ、後尾情報ＴＤ、ＶＡＮＣデータＶＤ、予備データＡＤについてチェックされるものとする。
【００１３】
ＶＡＮＣデータ処理装置は、ＶＡＮＣデータＶＤに設定された放送の処理に関わる内容を読み取り、例えば、文字データの重畳の様な処理を実施して出力する（以下ＶＡＮＣ処理と称する。）。本発明の実施例のＶＡＮＣデータ処理装置は、入力されたデジタル放送番組信号にエラーが発見された場合は、ＶＡＮＣ処理を行わず入力信号をバイパスして出力することによりエラー発生時にＶＡＮＣ処理の誤動作を避ける動作を行う。
【００１４】
図３は、ＶＡＮＣデータ処理装置の動作手順を説明するフローチャートである。  
図１において、ＶＡＮＣデータ処理装置の入力スイッチ１の出力先はＶＡＮＣ処理部４にされている（ステップｓ１）。そして、ＶＡＮＣデータ処理装置に入力されるデジタル放送番組信号は、入力スイッチ１の入力端子に接続されたエラーチェック部２でＣＲＣチェックが行われ（ステップｓ２）、その「良」、「否」が制御部３へ出力される。制御部３は、エラーチェック部２から「良」を受信した場合（ステップｓ３がＹｅｓ）、入力スイッチ１の接続先をＶＡＮＣ処理部４で維持する（ステップｓ４）。ＶＡＮＣ処理部４は、デジタル放送番組信号のＶＡＮＣデータＶＤに設定された放送の処理に関わる内容を読み取り、例えば、文字データの重畳処理（ＶＡＮＣ処理）を実施して出力スイッチ２の一方の入力端子へ出力する（ステップｓ５）。制御部３は、同時に「良」を受信した場合は、この出力スイッチ２の一方の入力端子へ入力された信号を外部に出力するように出力スイッチ２を設定する（ステップｓ６）。
【００１５】
以上の制御により、エラーが発生しない場合は、デジタル放送番組信号は、ＶＡＮＣ処理部４により処理されたデジタル放送番組が他のスタジオ装置等へ出力され、更にその出力先で所要の処理が行われる。
【００１６】
一方、制御部３は、エラーチェック部２から「否」を受信した場合（ステップｓ３がＮｏ）、入力スイッチ１の出力先を出力スイッチ５の他方の入力へ接続する（ステップｓ７）と共に、出力スイッチ５の入力元を入力スイッチ１の出力先が接続された他方の入力端子へ切り換える（ステップｓ８）。そして、ＶＡＮＣ処理装置へ入力されたデジタル放送番組信号は、当該ＶＡＮＣ処理部４では処理されず、バイパスされて他のスタジオ装置等へ出力される。
【００１７】
この出力された信号は、連続的な障害で無く、瞬発的な雑音等によるエラー発生であれば、例えば、瞬間的には、文字字幕が表示されないか、また画面に瞬間的な乱れが生じたとしても、不快にはならない範囲で済みそのまま所定のＶＡＮＣ処理が継続される。従って、エラー訂正による遅延時間が発生し画面が不連続になるような不都合は生ぜず、また、伝送エラーに起因するＶＡＮＣ処理の誤動作を防ぐことが出来る。
【００１８】
以上説明したように、本発明の実施例に関わるＶＡＮＣデータ処理装置では、デジタル放送番組信号の伝送中にエラーが生じても、遅延時間の発生を防ぎアンシラリーデータで設定された付加機能を実行することができる。
【図面の簡単な説明】
【００１９】
【図１】本発明の実施例に係わるＶＡＮＣデータ処理装置の機能構成を示すブロック図。
【図２】ＶＡＮＣデータを含むデジタル放送番組信号のデータフレームの構成の概念を説明する図。
【図３】本発明の実施例に係わるＶＡＮＣデータ処理装置の動作手順を説明するフローチャート。
【符号の説明】
【００２０】
１  入力スイッチ
２  エラーチェック部
３  制御部
４  ＶＡＮＣ処理部
５出力スイッチ
ＤＦ  データフィールド
ＨＤ  先頭情報
ＴＤ  後尾情報
ＶＤ  アンシラリーデータ（ＶＡＮＣデータ）
ＡＤ  予備データ
ＣＲＣ  エラーチェックデータ
【図１】
0004481897.tif 000002
【図２】
0004481897.tif 000003
【図３】
0004481897.tif 000004